(57)【要約】【課題】本発明は、フィルム供給装置に関する。【解決手段】本発明は、骨格を形成するベースとメインフレームと、前記メインフレームに沿って線形でスライド移動するスライド手段と、前記スライド手段と連結されて上下に移動する上下移動手段と、裁断されたフィルムが積層収容されるフィルム収容手段と、前記上下移動手段と連結され、吸引力を用いて前記フィルム収容手段に収容されたフィルムを把持する把持手段とを含む構成を有し、前記把持手段は、フィルムを把持した状態で回転可能に構成される。前記本発明によれば、自動に裁断されたフィルムの枚葉供給が円滑になされるという利点がある。【選択図】図１
2009280399.tif 000002
【特許請求の範囲】
【請求項１】
骨格を形成するベースとメインフレームと、
前記メインフレームに沿って線形でスライド移動するスライド手段と、
前記スライド手段と連結されて上下に移動する上下移動手段と、
裁断されたフィルムが積層収容されるフィルム収容手段と、
前記上下移動手段と連結され、吸引力を用いて前記フィルム収容手段に収容されたフィルムを把持する把持手段とを含む構成を有し、
前記把持手段は、
フィルムを把持した状態で回転可能であり、
外部から提供される吸引力の流入経路であるフィッティングと、前記フィッティングを通じて提供される吸入力の作用部である真空ローラーと、前記真空ローラーの回転を可能にする回転操作部とを含む構成を有することを特徴とするフィルム供給装置。
【請求項２】
前記回転操作部は、
動力を提供する把持シリンダーと、
前記把持シリンダーの作動によって線形移動するラックギアと、
前記ラックギアとかみ合って回転する平歯車と、
前記真空ローラーと連結されて、共に回転し、前記平歯車とかみ合って回転することによって回転力の提供を受ける回動制限具とを含んで構成されることを特徴とする請求項１に記載のフィルム供給装置。
【請求項３】
前記回動制限具には、
前記平歯車とかみ合う鋸歯が外周面の一部にのみ形成されることを特徴とする請求項２に記載のフィルム供給装置。
【請求項４】
前記回動制限具には、
空気を噴射する噴射孔がさらに形成されることを特徴とする請求項２に記載のフィルム供給装置。
【請求項５】
前記上下移動手段と把持手段との間には、
前記把持手段に圧力を加えてフィルムと把持手段の一側が密着されるようにする加圧手段がさらに備えられ、
前記加圧手段は、
前記上下移動手段と連結される上部プレートと、前記把持手段と連結される下部プレートと、前記上部プレートと下部プレートとを連結する加圧軸と、
前記加圧軸に装着されて前記上部プレートと下部プレートとの間で弾性反発力を有する加圧ばねとを含んで構成されることを特徴とする請求項１に記載のフィルム供給装置。
【請求項６】
前記スライド手段は、
前記メインフレームの長さの方向に沿って長く形成されるスライドガイドと、
前記スライドガイドに沿ってスライド移動し、前記上下移動手段が締結されるスライドブラケットと、
前記スライドブラケットを移動させるスライドシリンダーとを含んで構成されることを特徴とする請求項１に記載のフィルム供給装置。
【発明の詳細な説明】
【技術分野】
【０００１】
本発明はフィルム供給装置に関する。
【背景技術】
【０００２】
通常、積層型セラミックコンデンサー（Ｍｕｌｔｉ Ｌａｙｅｒ Ｃｅｒａｍｉｃ Ｃｏｎｄｅｎｓｅｒ：ＭＬＣＣ）は、低温同時焼成セラミック（ＬＴＣＣ，Ｌｏｗ Ｔｅｍｐｅｒａｔｕｒｅ Ｃｏ−ｆｉｒｅｄ Ｃｅｒａｍｉｃ）または高温同時焼成セラミック（ＨＴＣＣ，Ｈｉｇｈ Ｔｅｍｐｅｒａｔｕｒｅ Ｃｏ−ｆｉｒｅｄ Ｃｅｒａｍｉｃ）などのセラミックとステンレス薄板が順次ビルドアップ（Ｓｅｑｕｅｎｔｉａｌ ｂｕｉｌｄ−ｕｐ）された以後に圧縮して製造される。
【０００３】
すなわち、ステンレス薄板の上側にセラミック層を形成し、前記セラミック層の上側にステンレス薄板を積層した後、これを一度に加圧することで積層型セラミックコンデンサーが形成される。
【０００４】
一方、前記のような製造工程の積層型セラミックコンデンサーを大量で生産するためには、ステンレス−セラミック−ステンレスの構成要素の組み合わせを多数個積層させて一度に加圧することが可能であるが、このように多数個を同時に生産すると、生産された製品が加圧されながら互いに付くので、分離が困難であるという問題点が発生する。
【０００５】
従って、大量で生産するためには、前記のように形成される積層型セラミックコンデンサーの組み合わせの間に離形フィルムを介在した後、圧縮加工を行うことで製造された製品間の分離が容易でなければならず、また、前記のような機能の離形フィルムを自動に供給するのためのフィルム供給装置が求められる。
【発明の開示】
【発明が解決しようとする課題】
【０００６】
本発明の目的は、裁断された多数のフィルムを積層した状態で収容し、収容されたフィルムを枚葉で自動供給することができるフィルム供給装置を提供することである。
【０００７】
本発明の他の目的は、供給するフィルムを枚葉把持するために、吸引力を用いる真空ローラーを備え、かかる真空ローラーがフィルムを把持した状態において制限された回転が可能にすることによって枚葉把持することが円滑になされるフィルム供給装置を提供することである。
【課題を解決するための手段】
【０００８】
本発明は、骨格を形成するベースとメインフレームと、前記メインフレームに沿って線形でスライド移動するスライド手段と、前記スライド手段と連結されて上下に移動する上下移動手段と、裁断されたフィルムが積層収容されるフィルム収容手段と、前記上下移動手段と連結され、吸引力を用いて前記フィルム収容手段に収容されたフィルムを把持する把持手段とを含む構成を有し、前記把持手段は、フィルムを把持した状態で回転可能なことを特徴とする。
【０００９】
前記上下移動手段と把持手段との間には、前記把持手段に圧力を加えてフィルムと把持手段の一側が密着されるようにする加圧手段がさらに備えられることを特徴とする。
【００１０】
前記把持手段は、外部から提供される吸引力の流入経路であるフィッティングと、前記フィッティングを通じて提供される吸入力の作用部である真空ローラーと、前記真空ローラーの回転を可能にする回転操作部とを含んで構成されることを特徴とする。
【００１１】
前記回転操作部は、動力を提供する把持シリンダーと、前記把持シリンダーの作動によって線形移動するラックギアと、前記ラックギアとかみ合って回転する平歯車と、前記真空ローラーと連結されて、共に回転し、前記平歯車とかみ合って回転することで回転力の提供を受ける回動制限具とを含んで構成されることを特徴とする。
【００１２】
前記回動制限具には、前記平歯車とかみ合う鋸歯が外周面の一部にのみ形成されることを特徴とする。
【００１３】
前記回動制限具には、空気を噴射する噴射孔がさらに形成されることを特徴とする。
【００１４】
前記加圧手段は、前記上下移動手段と連結される上部プレートと、前記把持手段と連結される下部プレートと、前記上部プレートと下部プレートとを連結する加圧軸及び前記加圧軸に装着され、前記上部プレートと下部プレートとの間で弾性反発力を有する加圧ばねとを含んで構成されることを特徴とする。
【００１５】
前記スライド手段は、前記メインフレームの長さの方向に沿って長く形成されるスライドガイドと、前記スライドガイドに沿ってスライド移動し、前記上下移動手段が締結されるスライドブラケット及び前記スライドブラケットを移動させるスライドシリンダーとを含んで構成されることを特徴とする。
【発明の効果】
【００１６】
前記本発明によれば、フィルムの枚葉供給が円滑になされるという利点がある。
【００１７】
すなわち、本発明では把持手段が、吸引力が作用する真空ローラーと前記真空ローラーを回転させる回転操作部とを含んで構成され、前記真空ローラーがフィルムを吸着した状態で回転してフィルムを枚葉把持することが容易となり、これと共に前記回転操作部の一構成である回動制限具に把持されたフィルム以外のフィルムが引かれないように空気を噴射する噴射孔を備えることによって、フィルムの枚葉供給が円滑になされるという利点がある。
【００１８】
また、加圧手段を通じて真空ローラーとフィルムとの間を密着させることでフィルムの把持力が向上するという利点がある。
【発明を実施するための最良の形態】
【００１９】
以下、図面を参照して本発明の具体的な実施例を説明する。但し、本発明の思想は、提示される実施例に制限されず、本発明の思想を理解する当業者は、同一の思想の範囲内における他の実施例を容易に提案することができる。
【００２０】
図１には、本発明によるフィルム供給装置の正面図が示されており、図２には、図１の側面図が示されている。
【００２１】
該図面に示されているように、本発明によるフィルム供給装置１は、地盤に接して支持基盤を提供するベース１００と、前記ベースから垂直に形成されるメインフレーム２００とによって全体的な骨格が形成される。
【００２２】
また、前記のように形成されたメインフレーム２００には、前記メインフレーム２００の左右の長さ方向に沿って線形でスライド移動が可能であるようにスライド手段３００が備えられる。
【００２３】
このために前記スライド手段３００は、前記メインフレーム２００の左右の長さ方向に沿って長く形成されるスライドガイド３８０が備えられ、かかるスライドガイド３８０には、後に説明するスライドシリンダー３６０によって移動力の提供を受けて前記スライドガイド３８０に沿って移動するスライドブラケット３２０が装着すされる。
【００２４】
前記スライドシリンダー３６０は、外部から提供される空気の圧力を用いて長さが可変されるものであって、前記スライドガイド３８０と長さの可変部分が平行に形成するように装着され、一側が前記スライドブラケット３２０と連結され、長さの可変による移動力がスライドブラケット３２０に伝達される。
【００２５】
また、前記スライドブラケット３２０の一側には、空気圧を通じて上下に移動する上下移動手段４００が備えられる。
【００２６】
より詳しくは、前記上下移動手段４００は、前記スライドブラケット３２０と連結されるシリンダー固定ブラケット４４０と、前記スライドブラケット３２０の一側を貫通して前記シリンダー固定ブラケット４４０と締結され、空気圧によって上下に長さが可変される上下移動シリンダー４２０とを含んで構成される。
【００２７】
従って、前記上下移動手段４００は、前記スライド手段３００によって左右でスライド移動した状態で上下に長さが調整されるように装着される。
【００２８】
前記上下移動手段４００の下側には、後に詳細に説明する把持手段６００と連結され、前記把持手段６００に弾性による圧力を加える加圧手段５００が備えられる。
【００２９】
詳しくは、前記加圧手段５００は、前記上下移動手段４００と連結される上部プレート５４０と、前記把持手段６００と連結される下部プレート５２０及び前記上部プレート５４０と下部プレート５２０との間に介在される加圧軸５６０及び前記加圧軸５６０に装着され、前記上部プレート５４０と下部プレート５２０との間で弾性反発力を提供する加圧ばね５８０とを含んで構成される。
【００３０】
また、前記加圧軸５６０は、前記上部プレート５４０に貫通可能に装着され、貫通された上部は別途のブッシュと固定ボルトなどとを通じて固定される。
【００３１】
従って、前記上部プレート５４０には、前記加圧軸５６０が貫通されるように貫通ホール（図面符号は与えられない）がさらに形成される。
【００３２】
一方、前述したように前記加圧手段５００の下側には、外部から提供される吸引力を用いてフィルムを吸着するための把持手段６００が備えられる。
【００３３】
以下では、添付された図面を参照して前記把持手段６００について詳細に説明する。
【００３４】
図３は、本発明の要部構成である把持手段の詳細構成を示すための図であり、図４は、本発明の要部構成である把持手段の回転操作部の結合関係の一部を示すための図であり、図５は、本発明の要部構成である真空ローラーと、その回転を制限する回動制限具を示す図である。
【００３５】
該図面に示されたことによると、前記把持手段６００には、一側に外部で生成された吸引力を後に説明する真空ローラー６２０に提供するための連結部であるフィッティング６１０が備えられ、かかるフィッティング６１０は、外部吸引力の伝達経路と多数方向で締結することができるように締結部分が回転可能に構成される。
【００３６】
前記のように形成されたフィッティング６１０は、提供される吸引力の作用部である真空ローラー６２０の一側に装着され、このように装着されたフィッティング６１０の一側は、前記真空ローラー６２０の内部に形成される吸引力の移動経路と連結される。
【００３７】
詳しくは、前記真空ローラー６２０は、略円柱状に形成され、内部が密閉形成される。
【００３８】
また、外周面の一側には、前記フィッティング６１０を通じて提供される吸引力の作用点である真空吸入口６２２が形成され、かかる真空吸入口６２２はシリコーン材質からなる。
【００３９】
一方、前記のような真空ローラー６２０は、２個が一対で備えられ、フィルムの左右の両側を把持するようになり、前記真空ローラー６２０の一側には、前記真空ローラー６２０がフィルムを吸着して把持した状態で回転可能にする回転操作部６９０の一構成が連結される。
【００４０】
前記回転操作部６９０は、空気圧を用いて長さが可変されることによって作動力を生成する把持シリンダー６５０と、前記把持シリンダー６５０の作動によって線形で移動するラックギア６６０と、前記ラックギア６６０とかみ合って回転する平歯車６７０及び前記真空ローラー６２０と連結されて、共に回転し、前記平歯車６７０とかみ合って回転することで回転力の提供を受ける回動制限具６８０とを含んで構成される。
【００４１】
より詳しくは、前記把持シリンダー６５０は、シリンダーハウジング６４０によって長さの可変が可能であるように収容された状態で前記下部プレート５２０に固定される。
【００４２】
また、前記把持シリンダー６５０の下側には、前記真空ローラー６２０と回動制限具及び平歯車６７０の装着空間を提供し、前記把持シリンダー６５０と締結される把持ブラケット６３０が固定される。
【００４３】
このために前記把持ブラケット６３０には、前記真空ローラー６２０と連結される回動制限具６８０の回動軸及び平歯車６７０の回転軸が収容されるように軸収容ホールが穿孔形成され、かかる軸収容ホールの内部には、回転軸の円滑な回転のためにベアリング６３２がさらに備えられる。
【００４４】
一方、前記下部プレート５２０の一側には、前記平歯車６７０とかみ合って前記平歯車６７０を回転させるラックギア６６０が備えられ、かかるラックギア６６０は、別途のブラケットを通じて前記下部プレート５２０に装着されることも可能であり、ラックギア６６０の形状を、ブラケットを含む形状で形成してブラケットなしに装着することも可能である。
【００４５】
前記平歯車６７０は、前記把持ブラケット６３０に形成された軸収容ホールのうち相対的に内側に位置する軸収容ホールに回転軸が挿入され、前記ラックギア６６０の鋸歯とかみ合うように装着される。
【００４６】
従って、前記回動制限具６８０は、前記把持ブラケット６３０の外側に位置する軸収容ホールに回転軸が挿入され、前記平歯車６７０とかみ合って回転するようになる。また、前記のような回動制限具６８０の回転を通じて前記真空ローラー６２０が共に回転するが、かかる回動制限具６８０の外周面には、一部分にのみ前記平歯車６７０とかみ合う鋸歯が形成される。これにより前記平歯車６７０の回転は、前記回動制限具６８０に鋸歯が形成された部分程度だけ伝達され、それによって前記真空ローラー６２０は回転する範囲が制限される。
【００４７】
一方、前記のような機能の回動制限具６８０には、図５に示されたように一側に空気噴射のための噴射孔６８２がさらに形成される。
【００４８】
前記噴射孔６８２は、外部から圧縮空気の伝達を受けて前記真空ローラー６２０がフィルムを吸着して回転する過程における直接吸着されたフィルムの以外に、静電気または摩擦力によって引かれるフィルムを脱落させるための構成であって、前記真空ローラー６２０が回転すると、前記フィルムが真空ローラー６２０の回転に沿って上方に巻き込ませ、このような状態において圧縮された空気を巻き上がるフィルムの下側に噴射してフィルムを脱落させる。
【００４９】
また、前記ベース１００の一側には、加工対象物に供給されるフィルムが加工対象物と対応するサイズで裁断された状態において多数個が積層収容されて保管することができるフィルム収容手段９００が備えられ、前記フィルム収容手段は、前記把持手段６００よりも大きく形成され、前記把持手段６００が前記フィルム収容手段９００の内側に流入可能に構成される。
【００５０】
以下、前記のような構成を有する本発明によるフィルム供給装置１の作用について添付の図面を参照して説明する。
【００５１】
図６〜図９には、本発明によるフィルム供給装置を通じてフィルムが移送される過程を示す図面が示されている。
【００５２】
該図面に示されたように本発明によるフィルム供給装置１は、ベース１００の上側に圧縮加工する加工対象物を位置させ、前記のように位置した加工対象物の上側に前記フィルム収容手段９００の内側に積層保管中のフィルムを枚葉把持して移送させる。
【００５３】
前記内容をより詳細に察してみると、図６では、本発明によるフィルム供給装置１が加工対象物にフィルムを供給するためにフィルム収容手段９００の内部に収容されたフィルムの把持直前の状態が示されている。
【００５４】
図６のような状態は、前記スライド手段３００を通じてスライドブラケット３２０がフィルム収容手段９００の上側に移動し、このような状態で前記上下移動手段４００が作動して前記把持手段６００がフィルム収容手段９００の内部に引入されたものであって、前記把持手段６００の一構成である真空ローラー６２０に外部から作用する吸引力が伝達されることによって真空吸入口６２２がフィルムを吸着する。
【００５５】
この時、前記加圧手段５００は、前記真空ローラー６２０が積層されたフィルムの上面に密着されるように前記加圧ばね５８０を通じて弾性力を持続的に提供するようになる。
【００５６】
一方、前記のような状態で真空吸入口６２２を通じて吸引力が発揮されるとともに、前記把持手段６００の一構成である把持シリンダー６５０にも空気圧が作用して前記ラックギア６６０が移動するようになり、かかるラックギア６６０の移動によって平歯車６７０及び回動制限具６８０が回転して前記フィルムを把持した真空ローラー６２０が回転するようになる。
【００５７】
また、前記のような真空ローラー６２０の回転によって前記フィルムの左右の両側が真空ローラー６２０の外周面に沿って上方に巻き込ませ、これと共に前記回動制限具６８０の噴射孔６８２から空気圧が巻き上がるフィルムの下側に噴射されることによって吸着されたフィルムに沿って上がったフィルムが下方に落下される。
【００５８】
また、前記のようにフィルムが真空ローラー６２０の回転に沿って巻き上がった状態を維持する状態で前記上下移動手段４００が作動することによって把持手段６００が全体的に上昇して図７のような状態になる。
【００５９】
一方、前記のように把持手段６００で把持されたフィルムは、前記スライド手段３００により右側に移動して図８のような状態になり、前記把持手段６００の下側には、フィルムが供給される対象である加工対象物が前記ベース１００に上げられた状態で備えられる。
【００６０】
また、前記加工対象物の上方にフィルムを把持した把持手段６００が位置すると、前記上下移動手段４００が下降して前記把持手段６００を前記加工対象物に接近させ、このように接近した状態で前記真空ローラー６２０に供給される吸引力を解除させて吸着されたフィルムが加工対象物の上方に上げられるようにした後、再び上昇する。
【００６１】
前記のような過程は、加工対象物で要求するフィルムの個数によって数回繰り返し実施する。
【００６２】
一例として積層型セラミックコンデンサーを一度に２個を形成する場合には、ステンレス−セラミック−ステンレス−フィルム−フィルム−ステンレス−セラミック−ステンレスの順にビルドアップした後、積層された加工対象物を加圧装置に移動させて一度に加圧して相対的に上方に位置した加工完了物と下方に位置した加工完了物との間が容易に分離される。
【図面の簡単な説明】
【００６３】
【図１】本発明によるフィルム供給装置の正面図である。
【図２】図１の側面図である。
【図３】本発明の要部構成である把持手段の詳細構成を示すための図である。
【図４】本発明の要部構成である把持手段の回転操作部の結合関係の一部を示すための図面である。
【図５】本発明の要部構成である真空ローラーと、その回転を制限する回動制限具とを示す図面である。
【図６】本発明によるフィルム供給装置を通じてフィルムが移送される過程を示す図面である。
【図７】本発明によるフィルム供給装置を通じてフィルムが移送される過程を示す図面である。
【図８】本発明によるフィルム供給装置を通じてフィルムが移送される過程を示す図面である。
【図９】本発明によるフィルム供給装置を通じてフィルムが移送される過程を示す図面である。
【符号の説明】
【００６４】
１００  ベース
２００  メインフレーム
３００  スライド手段
３２０  スライドブラケット
３６０  スライドシリンダー
３８０  スライドガイド
４００  上下移動手段
４２０  上下移動シリンダー
４４０  シリンダー固定ブラケット
５００  加圧手段
５２０  下部プレート
５４０  上部プレート
５６０  加圧軸
５８０  加圧ばね
６００  把持手段
６１０  フィッティング
６２０  真空ローラー
６２２  真空吸入口
６３０  把持ブラケット
６４０  シリンダーハウジング
６５０  把持シリンダー
６６０  ラックギア
６７０  平歯車
６８０  回動制限具
６８２  噴射孔
６９０  回転操作部
【図１】
2009280399.tif 000003
【図２】
2009280399.tif 000004
【図３】
2009280399.tif 000005
【図４】
2009280399.tif 000006
【図５】
2009280399.tif 000007
【図６】
2009280399.tif 000008
【図７】
2009280399.tif 000009
【図８】
2009280399.tif 000010
【図９】
2009280399.tif 000011